(57)【要約】【課題】表裏を逆にしても、接続することができ作業性が良いプラグ及びソケットを提供する。【解決手段】プラグ本体10内には、何れかが選択的に、ソケット2の嵌合子6に押される接続片3、4が並んで設けられている。該プラグ本体10内には、嵌合子6に押された一方の接続片3の引っ込み動作を、他方の接続片4のプラグ本体10からの突出動作に変える変換機構が配備されている。また、ソケット本体20内には、嵌合子6の上面又は下面に接する接続子8が昇降可能に設けられている。接続子8は、上面及び下面に接触端子30、30を具えた基端部と、該基端部の厚み方向の略中央に位置する先端部を具えている。プラグ1の挿入待機状態で、該接続子8の先端部は嵌合子6の上面又は下面と略同等の高さに位置している。【選択図】図１
2008300091.tif 000002
【特許請求の範囲】
【請求項１】
嵌合子を具えた接続部材が嵌まるコネクタであって、
コネクタの本体(10)内には、嵌合子に押される接続片(３)(４)が並んで、互いに反対向きに移動可能に設けられ、
該本体(10)内には、嵌合子に押された一方の接続片(３)の引っ込み動作を、他方の接続片(４)の本体(10)からの突出動作に変える変換機構が配備されたことを特徴とするコネクタ。
【請求項２】
変換機構は、本体(10)内に配備された回転ギア(５)と、接続片(３)(４)に形成されて、回転ギア(５)に螺合するラック(32)(42)を具えた、請求項１に記載のコネクタ。
【請求項３】
変換機構は、両接続片(３)(４)を繋いで本体(10)内に湾曲して配備され、湾曲部が本体(10)の奥壁に接する弾性体である、請求項１に記載のコネクタ。
【請求項４】
本体(10)内には、本体(10)から突出する接続片(３)(４)を嵌合子に向けて押し上げ、又は押し下げる突起(18)が設けられた、請求項１乃至３の何れかに記載のコネクタ。
【請求項５】
本体(10)が設けられた基板(９)上には、両接続片(３)(４)の移動中は、両接続片(３)(４)への通電を遮断する接続検出スイッチ(ＳＷ1)が配備された、請求項１乃至４の何れかに記載のコネクタ。
【請求項６】
嵌合子を具えた接続部材が嵌まるコネクタであって、
コネクタの本体(20)内には、嵌合子の上面又は下面に接する接続子(８)が昇降可能に設けられ、
接続子(８)は、上面及び下面に接触端子(30)(30)を具えた基端部と、該基端部よりも薄く形成され、且つ該基端部の厚み方向の略中央に位置する先端部を具え、
接続部材の挿入待機状態で、該先端部は嵌合子の上面又は下面と略同等の高さに位置していることを特徴とするコネクタ。
【請求項７】
接続子(８)の先端部から基端部に向かって、テーパ面(85)が形成され、嵌合子に接した接続子(８)はテーパ面(85)に沿って昇降を案内される、請求項６に記載のコネクタ。
【発明の詳細な説明】
【技術分野】
【０００１】
本発明は、コネクタ、具体的には両面が接続可能なＵＳＢコネクタに関し、ここでコネクタとはプラグと、該プラグと嵌合するソケットを包含する概念である。
【背景技術】
【０００２】
近年、キーボードやマウス、プリンタ等のパーソナルコンピュータの周辺機器を接続する共通の規格として、ＵＳＢ(Universal Serial Bus)が広く用いられている。このＵＳＢ規格の中で、プラグとソケットが規定されており、一般に固定装置に接続すべき周辺機器にプラグが、固定装置にソケットが配備される。プラグとソケットの両方を含む概念として、コネクタがある。
図１６(a)、(b)は、一般的なＵＳＢプラグ(１)とＵＳＢソケット(２)を示す側面断面図である。プラグ(１)はプラグ本体(10)内に嵌合子(６)を具え、該嵌合子(６)上に端子板(62)が設けられている。プラグ本体(10)内にて、嵌合子(６)の上側には第１凹部(15)が形成されている。
ソケット(２)はソケット本体(20)内に第１接続片(３)を具え、該第１接続片(３)上に第１接触端子(30)が設けられている。ソケット本体(20)内にて、第１接続片(３)の下側には第２凹部(26)が形成されている。
ソケット(２)にプラグ(１)を嵌合させると、嵌合子(６)が第２凹部(26)に、第１接続片(３)が第１凹部(15)に夫々嵌まり、端子板(62)と第１接触端子(30)が接して、プラグ(１)とソケット(２)間が通電可能となる。嵌合子(６)が第２凹部(26)に正確に嵌まらなければならないから、使用者がプラグ(１)の上下の向きを正しく認識すべく、プラグ(１)の一面にマーク(55)が設けられている。
しかし、従来のＵＳＢプラグ(１)にあっては、上下(表裏)を合わせてソケット(２)に挿入しなければならないから、例えばソケット(２)がパーソナルコンピュータ等の固定機器の背面にある場合は、ソケット(２)を目視することができず、正確に挿入することができない虞れがある。
また、基板の両面にＵＳＢ接続用の回路パターンを設けて、表裏に関係なく、接続可能としたカード状のプラグも存在するが、ソケットとの保持力が弱い。
【０００３】
この点に鑑みて、プラグ(１)を上下何れに向けても挿入可能であり、且つプラグ(１)との保持力を維持したソケット(２)が提案されている(特許文献１参照)。図１７(a)、(b)は、該ソケット(２)の側面断面図である。
ソケット本体(20)内には、第１接続片(３)の下側に第２接続片(４)が設けられ、該第２接続片(４)上には絶縁板(93)を挟んで第１接触端子(30)に対向する第２接触端子(40)が設けられている。第１、第２接続片(３)(４)及び絶縁板(93)は夫々バネ(94)(95)(96)によりプラグ(１)に向けて付勢され、夫々に設けられた鍔体(97)(98)(99)がソケット本体(20)内のストッパ壁(27)に接している。
図１７(a)に示す状態から、プラグ(１)を挿入すると、嵌合子(６)によって第２接続片(４)がバネ(95)に抗して押され、後退する。第２接続片(４)の鍔体(98)が絶縁板(93)の鍔体(99)を押して後退させる。図１７(b)に示すように、第１接続片(３)の第１接触端子(30)と、嵌合子(６)の端子板(62)が接してプラグ(１)とソケット(２)間が通電可能となる。
図１７(a)に示す状態から、プラグ(１)を上下逆にして挿入すると、嵌合子(６)は第１接続片(３)を押して後退させる。この結果、端子板(62)と第２接触端子(40)が接してプラグ(１)とソケット(２)間が通電可能となる。即ち、プラグ(１)を上下逆にして挿入しても、プラグ(１)とソケット(２)間が通電可能となる。
【０００４】
【特許文献１】特開２００３−２１７７２８号公報
【発明の開示】
【発明が解決しようとする課題】
【０００５】
図１７(a)、(b)に示すソケット(２)では、端子板(62)と第１接触端子(30)が擦れながら、バネ(95)の付勢力に抗してプラグ(１)が前進する。図１６(a)、(b)に示す従前のプラグ(１)にあっても、端子板(62)と第１接触端子(30)が擦れながら前進するから、図１７(a)、(b)に示すプラグ(１)では、端子板(62)と第１接触端子(30)の摩擦力(これをＢとする)に、バネ(95)の付勢力(これをＡとする)を加えた力を持って、プラグ(１)を押し込む必要がある。プラグ(１)を上下逆にしても、同様に挿入されるためには、バネ(94)とバネ(95)の付勢力は等しくＡである。
プラグ(１)挿入時に、第１接続片(３)が移動しないためには、バネ(94)の付勢力Ａは、摩擦力Ｂよりも大きい必要がある。従って、プラグ(１)を押し込むのに必要な力Ｃは、
Ｃ＝Ａ＋Ｂ＞２×Ｂ
となり、プラグ(１)を押し込むのに、従前のプラグ(１)の２倍以上の力が必要となり、作業性が悪い。
更に、プラグ(１)の形状により、必要なバネ(95)の付勢力も変わるから、プラグ(１)が確実にソケット(２)に嵌まるには、更に大きな挿入力が必要になると予想される。更に、バネ(95)の付勢力が不足して、プラグ(１)が確実にソケット(２)に嵌まっていない状態でも、目視では確認できない不具合がある。また、プラグ(１)は常にバネ(95)によって押し出される向きに付勢されているので、プラグ(１)とソケット(２)間の接続が不安定になると考えられる。
本発明の目的は、表裏を逆にしても、接続することができ作業性が良いプラグ及びソケットを提供することにある。
【課題を解決するための手段】
【０００６】
嵌合子を具えた接続部材が嵌まるコネクタであって、
コネクタの本体(10)内には、嵌合子に押される接続片(３)(４)が並んで、互いに反対向きに移動可能に設けられ、
該本体(10)内には、嵌合子に押された一方の接続片(３)の引っ込み動作を、他方の接続片(４)の本体(10)からの突出動作に変える変換機構が配備されている。
また、コネクタの本体(20)内には、嵌合子の上面又は下面に接する接続子(８)が昇降可能に設けられ、
接続子(８)は、上面及び下面に接触端子(30)(30)を具えた基端部と、該基端部よりも薄く形成され、且つ該基端部の厚み方向の略中央に位置する先端部を具え、
接続部材の挿入待機状態で、該先端部は嵌合子の上面又は下面と略同等の高さに位置している。
【発明の効果】
【０００７】
１．接続部材とコネクタが嵌合せんとすると、接続部材の嵌合子に押されて、一方の接続片(３)が引っ込む。本体(10)内の変換機構により、他方の接続片(４)が本体(10)から突出し、嵌合子に接し、接続部材とコネクタ間の通電が可能となる。
即ち、接続部材が上下即ち表裏の何れを向いていても、嵌合子によって一方の接続片(３)が引っ込み、他方の接続片(４)が突出して、嵌合子と接する。これにより、コネクタであるプラグ又はソケットは、表裏を逆にしても、接続することができ作業性が良い。
２．嵌合子を具えた接続部材の挿入待機状態で、コネクタの接続子(８)の先端部は嵌合子の上面又は下面と略同等の高さに位置している。接続部材がコネクタに挿入されると、接続子(８)の先端部が嵌合子に乗り上げ、接続子(８)の基端部上面又は下面にある接触端子(30)(30)が嵌合子の上面又は下面に接する。接続部材とコネクタ間の通電が可能となる。
即ち、これによっても、コネクタであるプラグ又はソケットは、表裏を逆にしても、接続することができ、プラグをソケットに挿入する際の作業性が良い。
【発明を実施するための最良の形態】
【０００８】
以下、本発明の一実施例を図を用いて、詳述する。上記の如く、コネクタは、プラグとソケットの両方を含む概念である。即ち、下記のプラグ(１)又はソケット(２)の何れをも、コネクタと呼んでもよい。
(第１実施例)
本例では、プラグ(１)に特徴があり、具体的にはプラグ(１)の上下、即ち表裏を逆にしても、ソケットに嵌めることができる点に特徴がある。図１は、プラグ(１)の分解平面図、図２は、該プラグ(１)の分解側面図である。基板(９)上に載置されたプラグ本体(10)内には、第１接続片(３)と、該第１接続片(３)の下側に位置する第２接続片(４)が配備され、両接続片(３)(４)は前後方向にスライド可能であって、互いに反対向きに移動する。第１接続片(３)には弾性体である第１接触端子(30)が、第２接続片(４)には弾性体である第２接触端子(40)が夫々取り付けられ、両接触端子(30)(40)には基板(９)に電気的に繋がる可撓性の回路基板(31)(41)が夫々取り付けられている。
プラグ本体(10)の両側部には、一対の回転ギア(５)(５)が互いに対向して設けられ、両接続片(３)(４)上には回転ギア(５)に噛合するラック(32)(42)が形成されている。回転ギア(５)(５)は両接続片(３)(４)の間に位置して、一方の接続片(３)がスライドして、プラグ本体(10)内に引っ込むと、回転ギア(５)が回転する。他方の接続片(４)は、回転ギア(５)の回転によってプラグ本体(10)から突出する向きにスライドする。
【０００９】
プラグ本体(10)の側面には、前後に延びた第１、第２ガイド孔(11)(12)が開設され、第１ガイド孔(11)には第１接続片(３)の側部から突出したバネ掛け(33)が嵌まり、プラグ本体(10)の後端部には、バネ受け(13)が設けられる。バネ掛け(33)とバネ受け(13)には引張りバネ(19)が架けられる。第２接続片(４)の側部からは、突片(43)が突出して、該突片(43)が第２ガイド孔(12)に嵌まって、スライドを案内される。
基板(９)上には、プラグ本体(10)の後端部に対応して、何れかの接続片(３)(４)に押されてＯＮになる接続検出スイッチ(ＳＷ1)が配備されている。該接続検出スイッチ(ＳＷ1)がＯＦＦのときは、プラグ(１)とソケット(２)が接続されていない状態と判断して、接触端子(30)(40)への通電を遮断する。
【００１０】
(嵌合動作)
図３(a)、(b)、(c)は、プラグ(１)のソケット(２)への嵌合動作を示す側面図である。プラグ(１)は例えばＵＳＢオーディオ機器に配備され、ソケット(２)はパーソナルコンピュータのような装置の壁(100)に埋設され、固定されたソケット(２)にプラグ(１)を嵌め込むが、プラグ(１)とソケット(２)の用途はこれに限定されない。
ソケット(２)は公知の構成であり、ソケット本体(20)内に端子(60)を有する板状の嵌合子(６)を配備している。図３(a)、(b)、(c)では、嵌合子(６)がソケット本体(20)内の上端部に位置し、端子(60)が下向きに配備されているとする。プラグ(１)とソケット(２)が嵌合した状態で、端子(60)が第１接触端子(30)又は第２接触端子(40)の何れかに接して、プラグ(１)とソケット(２)間で通電が可能となる。
【００１１】
当初は、図３(a)に示すように、第１接続片(３)が第２接続片(４)よりも前側に位置して、第２接続片(４)が接続検出スイッチ(ＳＷ1)を押し込んでいる。
プラグ(１)をソケット(２)に挿入せんとすると、図３(b)に示すように、嵌合子(６)に接した第１接続片(３)が後退する。引張りバネ(19)により、第１接続片(３)は楽に後退する。第１接続片(３)のラック(32)に噛合した回転ギア(５)が回転して、第２接続片(４)を前方に押し出す。このとき、第２接続片(４)が接続検出スイッチ(ＳＷ1)から外れる。両接触端子(30)(40)への通電がＯＦＦとなる。第１接続片(３)と第２接続片(４)が互いに逆向きにスライドしている途中では、両接触端子(30)(40)が擦れる可能性がある。仮にこの時に両接触端子(30)(40)に通電されていると、本来ソケット(２)に流れるべき信号が、誤った箇所に流れる虞れがある。この虞れを防ぐべく、両接続片(３)(４)のスライド移動中は、接触端子(30)(40)への通電を遮断している。
【００１２】
図３(c)に示すように、ソケット(２)へのプラグ(１)の挿入が完了すると、第１接続片(３)が接続検出スイッチ(ＳＷ1)を押し込み、両接触端子(30)(40)への通電を再開する。第２接続片(４)が嵌合子(６)の下側に位置し、端子(60)と第２接触端子(40)とが接する。プラグ(１)とソケット(２)間で通電される。
尚、図４に示すように、ソケット(２)が図３(a)、(b)、(c)とは上下逆向きであっても、プラグ(１)を挿入すれば、第２接続片(４)が押されて、端子(60)と第１接続片(３)の第１接触端子(30)が接して、プラグ(１)とソケット(２)間の通電が可能となる。勿論、プラグ(１)を上下逆にしても、ソケット(２)に挿入することができる。
また、図３(a)に示す嵌合子(６)が上向きに位置したソケット(２)に、図４に示す第２接続片(４)が前側に位置したプラグ(１)を挿入すると、両接続片(３)(４)はスライドすることなく、端子(60)と第２接触端子(40)とが接する。
【００１３】
また、図５(a)、(b)に示すように、プラグ本体(10)内側の前端部に、突起(18)を設けて、前進した第２接続片(４)を持ち上げ、ソケット(２)の端子(60)と第２接触端子(40)との押圧力を高めてもよい。この場合、両接続片(３)(４)が互いに反対向きにスライドし、両接触端子(30)(40)が対向している途中で、突起(18)が第２接続片(４)を持ち上げると、両接触端子(30)(40)が大きな摩擦力で擦れ、両接触端子(30)(40)が傷付く可能性がある。従って、両接触端子(30)(40)の対向状態が外れ、ソケット(２)の端子(60)と第２接触端子(40)とが対向したときに、突起(18)で第２接続片(４)を持ち上げるのがよい。
勿論、突起(18)で第１接続片(３)を押し下げてもよい。
【００１４】
(第２実施例)
図６は、別の実施例に於けるプラグ(１)の分解平面図、図７は、該プラグ(１)の分解側面図である。本例では、第１接続片(３)と第２接続片(４)の互いの後端部は、金属製の帯板である弾性体(７)によって連結され、該弾性体(７)はプラグ本体(10)内に湾曲して配備されている。弾性体(７)は湾曲部(70)の膨らみを後方に向け、該膨らみの先端は、プラグ本体(10)の奥壁(17)に接して、弾性体(７)がプラグ本体(10)から後ろ向きに飛び出す虞れを防いでいる。第１、第２接続片(３)(４)の第１、第２接触端子(30)(40)に夫々接続された可撓性の回路基板(31)(41)は、弾性体(７)に開設された透孔(71)を通って、プラグ本体(10)の後方に延びる。
第１接続片(３)の側部からはスイッチ操作片(80)が突出し、該スイッチ操作片(80)はプラグ本体(10)の第１ガイド孔(11)を通って、基板(９)上の第１接続検出スイッチ(ＳＷ1)、第２接続検出スイッチ(ＳＷ2)を押す。両接続検出スイッチ(ＳＷ1)(ＳＷ2)は、第１接続片(３)の後退位置と前進位置に対応して設けられている。
【００１５】
図８(a)は、ソケット(２)に挿入待機状態にあるプラグ(１)の平面図であり、(b)は同上の側面図である。また、図９(a)は、ソケット(２)に挿入されたプラグ(１)の平面図であり、(b)は同上の側面図である。
当初は、図８(a)に示すように、第１接続片(３)が第２接続片(４)よりも前側に位置して、第１接続片(３)が第２接続検出スイッチ(ＳＷ2)を押し込み、プラグ(１)に通電されている。ソケット(２)は、嵌合子(６)がソケット本体(20)内の上端部に位置し、端子(60)が下向きに配備されているとする。
図８(a)に示す位置から、プラグ(１)を押し込むと、嵌合子(６)に押された第１接続片(３)が後退する。スイッチ操作片(80)は第２接続検出スイッチ(ＳＷ2)から離れて、第２接続検出スイッチ(ＳＷ2)はＯＦＦとなり、プラグ(１)への通電が遮断される。プラグ(１)への通電が遮断される理由は、第１実施例と同様である。
第１接続片(３)の後退により、弾性体(７)も後退するが、弾性体(７)は膨らみの先端が奥壁(17)に接しているから、奥壁(17)に沿って下向きに移動して、第２接続片(４)を前向きに押す。図９(a)に示すように、第１接続片(３)が後退完了すると、第２接続片(４)がソケット(２)の嵌合子(６)に対向して、端子(60)と第２接触端子(40)が接する。第１接続片(３)は第１接続検出スイッチ(ＳＷ1)を押し込み、プラグ(１)とソケット(２)間が通電される。
本例にあっても、プラグ(１)又はソケット(２)を上下、即ち表裏を逆にしても、対向するソケット(２)又はプラグ(１)に嵌めることができるのは、図８、図９から明らかである。また、第１実施例にて開示したように、プラグ本体(10)内に接続片(３)(４)を持ち上げる突起(18)を設けてもよい。
更に、弾性体(７)は金属製の帯板のみならず、コイルバネ等であってもよい。
【００１６】
(第３実施例)
本例では、コネクタとして、プラグ(１)が上下即ち表裏が逆であっても、嵌めることができるソケット(２)を開示する。プラグ(１)は図１６(a)にて示したように、プラグ本体(10)内に端子板(62)を有する嵌合子(６)を設けた公知の構成である。ソケット(２)は、後記の如く、プラグ(１)の嵌合子(６)に接する接続子(８)を上下移動可能に設けた構成であり、パーソナルコンピュータ等の装置の壁(100)に埋設される。
図１０は、本例のソケット(２)の分解斜視図であり、図１１は、図１０の接続子(８)をＤ−Ｄ線を含む面にて破断し、矢視した図である。ソケット本体(20)は中空の直方体であって、前端開口(21)の上下端部には、斜め外向きに広がった案内片(22)(22)が設けられ、該案内片(22)(22)によりプラグ(１)の挿入が案内される。
【００１７】
ソケット本体(20)の側壁前端部からはバネ掛け(23)が突出し、長手方向の中央部には第１受け孔(24)が、後端部には縦長の第２受け孔(25)が夫々開設されている。第１受け孔(24)は、略Ｖ字形であって、前端から後方に向かって斜め上向きに延びた第１部分(24a)と、前端から後方に向かって斜め下向きに延びた第２部分(24b)を連ねて形成される。
ソケット本体(20)内には、細長の接続子(８)が挿入され、該接続子(８)は、上面及び下面に接触端子(30)(30)を具えた基端部(８b)と、該基端部(８b)の厚み方向の略中央に位置する先端部(８a)を具えている。基端部(８b)は先端部(８a)よりも厚く、先端部(８a)から基端部(８b)に向かって、テーパ面(85)が形成されている。
該接続子(８)の先端部(８a)にはローラ(83)が配備されている。基端部(８b)上にて、長手方向の中央部にはストッパ(84)が設けられ、該ストッパ(84)がプラグ(１)の先端に接して、プラグ(１)の挿入を止める。接触端子(30)(30)の先端は、接続子(８)上にて、ストッパ(84)よりも先端部(８a)寄りに設けられる。図１０では、接触端子(30)(30)は２本であるが、これは図示の便宜上であって、２本に限定されない。
【００１８】
接続子(８)の一側部からは、棒状のスイッチ操作片(80)が突出し、他方の側部からはバネ受け(81)と、嵌め軸(82)が突出する。バネ受け(81)は軸体であって、第１受け孔(24)に嵌まり、ソケット本体(20)のバネ掛け(23)とバネ受け(81)との間に、引張りバネ(89)が架けられる。該引張りバネ(89)により、バネ受け(81)が第１受け孔(24)の前端に接して、接続子(８)は前進を規制される。
図１１に示すように、接触端子(30)は基端部が接続子(８)内に埋設されて、先端部が接続子(８)上面又は下面から出没可能となっており、該基端部に可撓性の回路基板(31)が接続されている。ソケット(２)が上下逆でも、プラグ(１)に通電可能にすべく、接触端子(30)(30)は接続子(８)の両面に設けられている。
【００１９】
図１２(a)は、プラグ(１)が挿入待機状態のソケット(２)の平面図、(b)はその側面図である。また、図１３は、図１２(a)をＣ方向から見た図である。
本例にあっては、プラグ(１)の挿入姿勢により、接続子(８)が上下する。従って、スイッチ操作片(80)が操作する第１接続検出スイッチ(ＳＷ1)、第２接続検出スイッチ(ＳＷ2)は基板(９)上に上下に亘って配備される。第１接続検出スイッチ(ＳＷ1)は、第２接続検出スイッチ(ＳＷ2)よりも上側に位置し、該第１接続検出スイッチ(ＳＷ1)は、例えば基板(９)上に設けられたスペーサ(図示せず)及び小基板(90)を介して取り付けられる。
図１２(b)に示すように、プラグ(１)の挿入待機状態では、接続子(８)の先端部は、案内片(22)にガイドされて、プラグ本体(10)内の嵌合子(６)の上面と略同等の高さに位置する。プラグ本体(10)内の嵌合子(６)の先端部上面には、面取り(61)が設けられ、プラグ(１)のソケット(２)への挿入時には、接続子(８)のローラ(83)は該面取り(61)に当たり、接続子(８)の昇降が案内される。
【００２０】
図１４(a)は、プラグ(１)が挿入された状態のソケット(２)の平面図、(b)はその側面図である。図１２(b)に示す状態から、プラグ(１)をソケット(２)に挿入すると、接続子(８)のローラ(83)が嵌合子(６)の面取り(61)に当たり、接続子(８)はテーパ面(85)に沿って押し上げられる。
バネ受け(81)と嵌め軸(82)は、夫々第１受け孔(24)の第１部分(24a)、第２受け孔(25)内を上昇する。プラグ(１)の先端がストッパ(84)に接して、プラグ(１)はそれ以上挿入されない。図１４(b)に示すように、接続子(８)の下面の接触端子(30)と端子板(62)が接し、スイッチ操作片(80)が第１接続検出スイッチ(ＳＷ1)を押し込み、プラグ(１)とソケット(２)間が通電される。
【００２１】
尚、図１５に示すように、プラグ(１)を図１２(b)に示す姿勢から上下を逆にして挿入すると、接続子(８)は嵌合子(６)の面取り(61)に当たり、接続子(８)はテーパ面(85)に沿って押し下げられる。
バネ受け(81)と嵌め軸(82)は、夫々第１受け孔(24)の第２部分(24b)、第２受け孔(25)内を下降する。接続子(８)の上面の接触端子(30)と端子板(62)が接し、スイッチ操作片(80)が第２接続検出スイッチ(ＳＷ2)を押し込み、プラグ(１)とソケット(２)間が通電される。即ち、プラグ(１)を上下、即ち表裏何れに向けても、ソケット(２)に挿入される。
【００２２】
上記各実施例のコネクタ、具体的にはプラグ(１)又はソケット(２)にあっては、上下即ち表裏を逆にしても、相手側のソケット(２)又はプラグ(１)に挿入することができる。
特に、デスクトップ型のパーソナルコンピュータの背面に設けられたソケット(２)に、周辺機器のプラグ(１)を挿入する場合、プラグ(１)の表裏を意識せずに、強い力で押し込んでも、ソケット(２)にスムーズに挿入されるから、プラグ(１)又はソケット(２)が破壊されずに、プラグ(１)とソケット(２)を接続することができる。
また、薄型ノート型パーソナルコンピュータの側面又は背面にソケット(２)が設けられている場合、プラグ(１)の上下の向きによっては、プラグ(１)の下面が該パーソナルコンピュータが載置された机面に当たり、ソケット(２)に挿入しにくい場合がある。本例のプラグ(１)では表裏を逆にしても挿入できるから、プラグ(１)をソケット(２)に挿入しやすい上下の向きに向けて挿入すればよい。
【００２３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００２４】
【図１】プラグの分解平面図である。
【図２】プラグの分解側面図である。
【図３】(a)、(b)、(c)は、プラグのソケットへの嵌合動作を示す側面図である。
【図４】図３(a)、(b)、(c)とは上下逆向きのソケットへのプラグの嵌合動作を示す側面図である。
【図５】(a)、(b)は、突起を設けたプラグのソケットへの嵌合動作を示す側面図である。
【図６】第２実施例のプラグの分解平面図である。
【図７】第２実施例のプラグの分解側面図である。
【図８】(a)は、ソケットに挿入待機状態にあるプラグの平面図であり、(b)は同上の側面図である。
【図９】(a)は、ソケットに挿入されたプラグの平面図であり、(b)は同上の側面図である。
【図１０】第３実施例のソケットの分解斜視図である。
【図１１】図１０の接続片をＤ−Ｄ線を含む面にて破断し、矢視した図である。
【図１２】(a)は、プラグが挿入待機状態のソケットの平面図、(b)はその側面図である。
【図１３】図１２(a)をＣ方向から見た図である。
【図１４】(a)は、プラグが挿入された状態のソケットの平面図、(b)はその側面図である。
【図１５】プラグを図１２(b)に示す姿勢から上下を逆にして挿入した状態を示す側面図である。
【図１６】(a)、(b)は、一般的なＵＳＢプラグとＵＳＢソケットを示す側面断面図である。
【図１７】(a)、(b)は、従来の別のソケットの側面断面図である。
【符号の説明】
【００２５】
(１)  プラグ
(２)  ソケット
(３)  第１接続片
(４)  第２接続片
(５)  回転ギア
(６)  嵌合子
(８)  接続片
(10)  プラグ本体
(20)  ソケット本体
(30)  接触端子
【図１】
2008300091.tif 000003
【図２】
2008300091.tif 000004
【図３】
2008300091.tif 000005
【図４】
2008300091.tif 000006
【図５】
2008300091.tif 000007
【図６】
2008300091.tif 000008
【図７】
2008300091.tif 000009
【図８】
2008300091.tif 000010
【図９】
2008300091.tif 000011
【図１０】
2008300091.tif 000012
【図１１】
2008300091.tif 000013
【図１２】
2008300091.tif 000014
【図１３】
2008300091.tif 000015
【図１４】
2008300091.tif 000016
【図１５】
2008300091.tif 000017
【図１６】
2008300091.tif 000018
【図１７】
2008300091.tif 000019